【事件の表示】
　特願２０１８−２１３３５５「エレベータ用かご内登録ランプ点検システム及び点検方法」拒絶査定不服審判事件〔令和　２年　５月２８日出願公開、特開２０２０−　７９１４４、請求項の数（５）〕について、次のとおり審決する。
【結　論】
　原査定を取り消す。
　本願の発明は、特許すべきものとする。
【理　由】
１．手続の経緯
　本願は、平成３０年１１月１３日の出願であって、令和　２年　９月１４日付けで拒絶理由通知がされ、同年　９月２８日に意見書及び手続補正書が提出され、同年１１月１６日付けで拒絶査定（以下、「原査定」という。）がされ、これに対し、令和　３年　２月　１日に拒絶査定不服審判の請求がされると同時に手続補正書が提出されたものである。
２．本件補正の適否について
　令和　３年　２月　１日にした手続補正（以下、「本件補正」という。）によって、請求項４の「前記画像判定部がによって」が「前記画像判定部によって」に補正された。
　当該補正は、日本語として間違った記載を正すものであるから、特許法第１７条の２第５項第３号に規定する誤記の訂正を目的とするものである。
　そして、本件補正は、上記のとおり日本語として間違った記載を正すものであって、新たな技術的事項を導入するものではないから、特許法第１７条の２第３項に適合することが明らかである。
　したがって、本件補正は、特許法第１７条の２第３項及び同条第５項第３号の規定に適合するものである。
３．本件発明について
　上記のとおり、本件補正は、特許法第１７条の２第３項及び第５項第３号の規定に適合するものであるから、本願発明１〜５は、本件補正で補正された特許請求の範囲の請求項１〜５に記載された事項により特定される以下のとおりである。
【請求項１】
昇降路内を上下動するかごを制御するエレベータ制御装置を含むエレベータ点検システムであって、
前記かごは、利用者が前記かごを行先階に移動させるための複数の行先階登録ボタンを有する操作盤と、
前記操作盤を撮像する撮像装置と、を含み、
前記エレベータ制御装置は、画像を保存する記憶部と、
前記記憶部に保存されている全点灯された状態の前記行先階登録ボタンの画像と、前記撮像装置で撮像した全点灯の指令が出された状態の前記行先階登録ボタンの画像と、を比較して、点灯している前記行先階登録ボタンの位置が一致するか否かを判定する画像判定部と、
を含み、
前記画像判定部が、前記記憶部に保存されている全点灯された状態の前記行先階登録ボタンの位置を認識し、
前記撮像装置で撮像した全点灯の指令が出された状態の点灯している前記行先階登録ボタンの位置を認識し、
前記記憶部に保存されている全点灯された状態の前記行先階登録ボタンの位置と、
前記撮像装置で撮像した全点灯の指令が出された状態の点灯している前記行先階登録ボタンの位置と、が一致するか否かを判定し、
前記画像判定部が一致しないと判定した場合、その一致していない位置を認識し、その位置の前記行先階登録ボタンの光源が球切れであると判定するエレベータ用点検システム。
【請求項２】
前記画像判定部は画像センサを有し、
前記画像センサにより発光点である行先階ボタンの画面上での位置を特定する請求項１記載のエレベータ点検システム。
【請求項３】
前記撮像装置が防犯カメラである請求項１又は２記載のエレベータ点検システム。
【請求項４】
前記かごは、前記画像判定部によって球切れしていると判定された前記行先階登録ボタンが行先階として選択されたとき、前記行先階登録ボタンの行先階が登録されたという登録情報を通知するスピーカー及び表示部の少なくとも一方を含む請求項１、２又は３記載のエレベータ点検システム。
【請求項５】
昇降路内を上下動するかごを制御するエレベータ制御装置を含むエレベータ点検方法であって、
前記かごは、利用者が前記かごを行先階に移動させるための複数の行先階登録ボタンを有する操作盤と、
前記操作盤を撮像する撮像装置と、を含み、
前記エレベータ制御装置は、前記撮像装置によって撮像された画像を保存する記憶部と、
前記記憶部に保存されている全点灯された状態の前記行先階登録ボタンの画像と、前記撮像装置で撮像した全点灯の指令が出された状態の前記行先階登録ボタンの画像と、を比較して、点灯している前記行先階登録ボタンの位置が一致するか否かを判定する画像判定部と、を含み、
前記エレベータ制御装置が、全点灯された状態の前記行先階登録ボタンの画像を保存する記憶工程と、
前記撮像装置が、全点灯の指令が出された状態の点灯している前記行先階登録ボタンを撮像する撮像工程と、
前記記憶工程により保存されている全点灯された状態の行先階登録ボタンの画像と、前記撮像工程により撮像された全点灯の指令が出された状態の点灯している前記行先階登録ボタンの画像と、を比較して、点灯している前記行先階登録ボタンの位置が一致するか否かを判定する画像判定工程と、
を含み、
前記画像判定工程により、前記画像判定部が、前記記憶部に保存されている全点灯された状態の前記行先階登録ボタンの位置を認識し、
前記画像判定部が、前記撮像装置で撮像した全点灯の指令が出された状態の点灯している前記行先階登録ボタンの位置を認識し、
前記画像判定部が、前記記憶部に保存されている全点灯された状態の前記行先階登録ボタンの位置と、
前記撮像装置で撮像した全点灯の指令が出された状態の点灯している前記行先階登録ボタンの位置と、が一致するか否かを判定し、
前記画像判定部が一致しないと判定した場合、その一致していない位置を認識し、その位置の前記行先階登録ボタンの光源が球切れであると判定するエレベータ点検方法。
４．原査定の概要
　原査定の概要は次のとおりである。
　本願の請求項１〜５に係る発明は、以下の引用文献１に記載された発明及び引用文献２に記載された技術的事項に基いて、その発明の属する技術の分野における通常の知識を有する者（以下、「当業者」という。）が容易に発明できたものであるから、特許法第２９条第２項の規定により特許を受けることができない。
引用文献等一覧
引用文献１：特開２０１２−０５６６８８号公報
引用文献２：特開２０１３−２２７０９１号公報
５．引用文献に記載された事項及び引用発明
（１）引用文献１について
　引用文献１には、次の事項が記載されている。
ア「【技術分野】
【０００１】
　本発明の実施形態は、乗りかご内や各階の乗場に設置された表示灯を点検するためのエレベータの表示灯点検装置に関する。
【背景技術】
【０００２】
　エレベータには、乗りかごや各階の乗り場に釦応答灯やランタンなどの表示灯が複数取り付けられている。これらの表示灯を点検する場合に、保守員が各表示灯に対応した釦を１つ１つ押して、点灯状態を確認するといった方法では、手間がかかり、階床数が多いビルでは、点検作業に時間がかかってしまう。
【０００３】
　このような問題を解決するため、各表示灯を１つ１つ個別に点灯させながら、そのときに流れる電流を電流検出器にて測定し、その測定値から点灯異常にある表示灯を特定して監視センタに発報することが考えられている。」
イ「【発明が解決しようとする課題】
【０００５】
　しかしながら、上述した方法では、各表示灯に流れる電流値を一度に測定することができないため、点検に時間がかかる。また、保守員が介在しないため、電流検出器が故障している場合に、正常な表示灯を誤って異常であると誤報してしまい、監視センサから保守員が派遣される可能性がある。
【０００６】
　そこで、保守員による点検作業の負担を軽減し、全ての表示灯を簡単かつ正確に点検することのできるエレベータの表示灯点検装置が求められる。」
ウ「【００１３】
　エレベータ制御装置１は、ビルの機械室などに設置されており、エレベータ全体の制御を行う。なお、機械室を持たないマシンルームレスタイプのエレベータでは、エレベータ制御装置１が昇降路内に設置される。
【００１４】
　このエレベータ制御装置１は、主制御部１１と伝送制御部１２とで構成される。主制御部１１は、乗客の釦操作による呼び（乗り場呼び／かご呼び）の発生に対し、図示せぬモータを駆動して乗りかご２を移動させる。
【００１５】
　また、本実施形態において、この主制御部１１は、「エレベータの表示灯点検装置」として機能し、図２に示すように、一斉点灯部１１ａ、異常検出部１１ｂ、点検通知部１１ｃ、運転制御部１１ｄ、画像取得部１１ｅ、報知部１１ｆを備える。
【００１６】
　一斉点灯部１１ａは、乗りかご２に乗り込んだ保守員の操作あるいは監視センタ５からの遠隔操作により、乗りかご２内に設置された複数の乗りかご表示灯２１Ａ…２１Ｎおよび各階の乗り場に設置された乗り場表示灯４１Ａ…４１Ｎを一斉に点灯させる。
【００１７】
　異常検出部１１ｂは、後述する乗りかご操作盤２０に設置された点灯検出部２３、乗り場操作盤４０Ａ…４０Ｎに設置された点灯検出部４３Ａ…４３Ｎを通じて、乗りかご表示灯２１Ａ…２１Ｎおよび乗り場表示灯４１Ａ…４１Ｎの点灯異常を検出する。
・・・
【００２０】
　画像取得部１１ｅは、乗りかご２内に設置された乗りかご表示灯２１Ａ…２１Ｎのいずれかに点灯異常が検出された場合に、乗りかご２内に設置されたカメラ３を起動して、乗りかご表示灯２１Ａ…２１Ｎの点灯状態を撮影した画像を取得する。
【００２１】
　報知部１１ｆは、乗りかご表示灯２１Ａ…２１Ｎ，乗り場表示灯４１Ａ…４１Ｎの異常検出結果と共にカメラ３で撮影された乗りかご表示灯２１Ａ…２１Ｎの画像を監視センタ５に送信する。
・・・
【００２３】
　エレベータ制御装置１は、監視センタ５と公衆回線６を介して接続されている。監視センタ５は、各地に存在する複数のエレベータの運転状態を遠隔監視しており、何らかの異常を検出した場合に保守員を派遣するなどの対処を行う。
【００２４】
　乗りかご２は、乗客を乗せて各階を移動する。この乗りかご２の内部には乗りかご操作盤２０が設けられている。乗りかご操作盤２０には、複数の乗りかご表示灯２１Ａ〜２１Ｎと、乗りかご制御部２２と、点灯検出部２３と、表示部２４と、操作部２５が設けられている。
【００２５】
　乗りかご表示灯２１Ａ〜２１Ｎは、各階に対応した呼び釦（行先階指定釦）の応答表示の他、階床表示、管制表示などを行うものであり、電球やＬＥＤ（ｌｉｇｈｔ　ｅｍｉｔｔｉｎｇ　ｄｉｏｄｅ）などが用いられる。乗りかご制御部２２は、乗りかご２内の表示制御や図示せぬドアの開閉制御などを行う。点灯検出部２３は、乗りかご表示灯２１Ａ〜２１Ｎの点灯状態を検出する。表示部２４は、乗りかご２の現在位置や運転方向などを表示する。操作部２５は、保守員が点検操作を行う場合に用いられる。
【００２６】
　ここで、点灯検出部２３は、表示灯の種類に応じた検出回路が用いられる。すなわち、例えば乗りかご表示灯２１Ａ〜２１Ｎがランプやランタンで構成されている場合には、これらの表示灯を点灯させたときに流れる電流値を検出し、その電流値が予め設定された閾値以下であるときに点灯異常と判断する。また、乗りかご表示灯２１Ａ〜２１ＮがＬＥＤで構成されている場合には、ＬＥＤの輝度を検出することにより、輝度が予め設定された閾値以下であるときに点灯異常であると判断する。
【００２７】
　このような構成において、乗りかご内制御部２２は、エレベータ制御装置１の主制御部１１から点灯指令５２を受けると、乗りかご表示灯２１Ａ〜２１Ｎに対して点灯指令６１を出力して、乗りかご表示灯２１Ａ〜２１Ｎを点灯させる。
【００２８】
　点灯検出部２３は、乗りかご表示灯２１Ａ〜２１Ｎから点灯信号６２を受信することで、正常に点灯しているかどうかを判断し、その結果を点灯検出信号６３として乗りかご内制御部２２に送信する。乗りかご内制御部２２は、表示部２４に表示信号６４を出力したり、操作部２５からの操作信号６５を入力する。
【００２９】
　また、乗りかご２の内部には、乗りかご操作盤２０に向けてカメラ３が設置されている。このカメラ３は、乗りかご操作盤２０に設けられた乗りかご表示灯２１Ａ〜２１Ｎを撮影し、その撮影画像５３を主制御部１１に転送する。」
エ「【００６５】
　（ｃ）表示灯遠隔点検処理
　次に、表示灯遠隔点検処理について説明する。これは、監視センタ５からの遠隔操作により、乗りかご表示灯２１Ａ〜２１Ｎと各階の乗り場表示灯４１Ａ〜４１Ｎの点灯状態を点検するものである。
【００６６】
　図６は表示灯遠隔点検処理の動作を示すフローチャートである。
【００６７】
　監視センタ５から公衆回線６を介してエレベータ制御装置１の主制御部１１に表示灯点検指令を送信する（ステップＳ４１）。主制御部１１は、表示灯点検指令を受信すると、乗りかご制御部２２と各階の乗り場制御部４２に対し、全ての表示灯を点灯する指令を送信する（ステップＳ４２）。これにより、乗りかご制御部２２を通じて乗りかご表示灯２１Ａ〜２１Ｎが点灯されると共に、乗り場制御部４２を通じて乗り場表示灯４１Ａ〜４１Ｎが点灯される（ステップＳ４３）。
【００６８】
　このとき、乗りかご表示灯２１Ａ〜２１Ｎについては、乗りかご操作盤２０に設けられた点灯検出部２３がこれらの点灯状態を検出し、異常があれば、その情報を乗りかご内制御部２２に送信する。・・・乗りかご内制御部２２および各階の乗り場制御部４２は、それぞれに各表示灯の情報を主制御部１１に送信する（ステップＳ４５）。
【００６９】
　主制御部１１は、乗りかご制御部２２および各階の乗り場制御部４２から受信した各表示灯の情報を監視センタ５に送信した後（ステップＳ４６）、各階の乗り場制御部４２に消灯指令を送って、乗り場表示灯４１Ａ〜４１Ｎを消灯する（ステップＳ４７）。
【００７０】
　ここで、主制御部１１は、乗りかご制御部２２から受信した乗りかご表示灯２１Ａ〜２１Ｎの情報に点灯異常があったか否かを判断する（ステップＳ４８）。点灯異常があった場合（ステップＳ４８のＹｅｓ）、主制御部１１は、乗りかご２内にカメラ３が設置されているか否かを判断する（ステップ４９）。
【００７１】
　乗りかご２内にカメラ３が設置されている場合（ステップＳ４９のＹｅｓ）、主制御部１１は、カメラ３を起動することにより、乗りかご表示灯２１Ａ〜２１Ｎを点灯させた状態の撮影画像を取得して（ステップＳ５０）、これを監視センタ５へ送信する（ステップＳ５１）。これにより、監視センタ５では、以下のようにして乗りかご表示灯２１Ａ〜２１Ｎの異常の有無を判断する。
【００７２】
　すなわち、図７に示すように、監視センタ５では、撮影画像を受信すると（ステップＳ６１のＹｅｓ）、図示せぬメモリに記憶された基準画像と比較する（ステップＳ６２）。この基準画像は、予め乗りかご表示灯２１Ａ〜２１Ｎが正常な状態のときに、これらを点灯させてカメラ３で撮影した画像である。
【００７３】
　この基準画像と上記受信した撮影画像とを比較した結果、両者が一致すれば（ステップＳ６３のＹｅｓ）、正常であると判断される（ステップＳ６４）。この場合、上記ステップＳ４６にて異常の発報があっても、点灯検出部２３の故障による誤報と判断されることになる。一方、両者が一致しない場合には（ステップＳ６３のＮｏ）、上記ステップＳ４６にて異常の発報通りであると判断される（ステップＳ６４）。なお、画像の比較処理は、パターンマッチングなどの一般的に知られている方法を用いるものとし、本発明では特にその方法に限定されるものではない。」
オ「【図１】
」
カ「【図６】
」
キ　引用文献１の段落【００１２】〜【００１４】、【００２４】の記載から見て、引用文献１に記載されたエレベータの乗りかご２は、図示しないモータやロープなどの機構により昇降路内を上下に移動し、当該乗りかご２の移動は、エレベータ制御装置１によって制御される図示しないモータを駆動することで行われるものと認められる。
　上記摘記事項ア〜カ、認定事項キから、引用文献１には次の発明が記載されている（以下、「引用発明」という。）
（引用発明）
「昇降路内を上下に移動する乗りかご２を制御するエレベータ制御装置１を含むエレベータの表示灯点検装置であって、
前記乗りかご２の内部には、各階に対応した呼び釦（行先階指定釦）と、呼び釦（行先階指定釦）の応答表示を行う複数の乗りかご表示灯２１Ａ〜２１Ｎと、乗りかご制御部２２と、点灯検出部２３と、表示部２４と、操作部２５が設けられている乗りかご操作盤２０が設けられ、
乗りかご操作盤２０に設けられた乗りかご表示灯２１Ａ〜２１Ｎを撮影するカメラ３と、
乗りかご表示灯２１Ａ〜２１Ｎから点灯信号６２を受信することで、正常に点灯しているかどうかを判断し、点灯検出信号６３として乗りかご内制御部２２に送信する点灯検出部２３と、
を含み、
主制御部１１は、表示灯点検指令を受信すると、乗りかご制御部２２に対し全ての表示灯を点灯する指令を送信して乗りかご制御部２２を通じて乗りかご表示灯２１Ａ〜２１Ｎが点灯され、
乗りかご表示灯２１Ａ〜２１Ｎについては、乗りかご操作盤２０に設けられた点灯検出部２３がこれらの点灯状態を検出し、異常があれば、その情報を乗りかご内制御部２２に送信し、
乗りかご内制御部２２は、各表示灯の情報を主制御部１１に送信し、
主制御部１１は、乗りかご制御部２２から受信した各表示灯の情報を監視センタ５に送信し
主制御部１１は、乗りかご制御部２２から受信した乗りかご表示灯２１Ａ〜２１Ｎの情報に点灯異常があった場合、カメラ３を起動することにより、乗りかご表示灯２１Ａ〜２１Ｎを点灯させた状態の撮影画像を取得して、これを監視センタ５へ送信し、
監視センタ５では、撮影画像を受信すると、メモリに記憶された、乗りかご表示灯２１Ａ〜２１Ｎが正常な状態のときにこれらを点灯させてカメラ３で撮影した画像である基準画像と比較し、
基準画像と上記受信した撮影画像とを比較した結果、両者が一致すれば、正常であると判断され、点灯検出部２３から異常の発報があっても点灯検出部２３の故障による誤報と判断され、両者が一致しない場合には点灯検出部２３による異常の発報通りであると判断される、エレベータの表示灯点検装置。」
（２）引用文献２について
　引用文献２には、以下の事項が記載されている。
ア「【技術分野】
【０００１】
　この発明は、操作釦の操作による指示に対する応答を表示する表示灯の付いたエレベータの表示灯付操作釦制御装置等に関する。
【背景技術】
【０００２】
　例えば、下記特許文献１には、かご内の操作盤上に取付けられた操作釦の操作の適否をエレベータの運転状態と対比して判定する判定手段と、この判定手段による判定結果が不適であるときその不適である理由に対応したガイドメッセージを作成する翻訳手段と、この翻訳手段によって得られたガイドメッセージをかご内の乗客に報知する報知装置とを備えたエレベータ装置が開示されている。
【０００３】
　これにより、乗客が不適切な釦操作(例：運転方向と逆方向にある階に対しての呼び登録)を行った時、不適切であることを乗客に報知することができ、乗客は適切な操作をやり直すことができる。」
イ「【発明が解決しようとする課題】
【０００５】
　しかしながら、適切な釦操作を行っている時には何も報知しないため、例えば行先階の呼び登録を行った時に、呼び登録の応答を示す表示灯が切れている場合には、乗客は行先階に止まるか不明のため、例えば何度も同じ釦を操作してしまうという問題があった。
【０００６】
　この発明は、操作釦の応答を表示する表示灯の点灯／不点灯の検出を行い、点灯すべき時に不点灯であった場合には、別の報知手段にて応答の報知を行うエレベータの表示灯付操作釦制御装置等を提供することを目的とする。」
ウ「【発明の効果】
【０００８】
　この発明では、操作した操作釦の表示灯が点灯すべき時に不点灯であった場合においても、別の報知手段にて応答の報知を行うことで、何度も同じ操作釦を押すようなことがなくなる。」
エ「【００１２】
　図１において、表示灯付操作釦群２００は、それぞれエレベータの各階の乗場操作盤およびかご内操作盤に設けられた複数の表示灯付操作釦からなり、各表示灯付操作釦はそれぞれ例えば図３に示す表示灯付操作釦２のような構成からなる。制御手段１００は例えばエレベータの制御盤からなり、制御用のコンピュータ等を含み得る。報知手段３００は音や表示等でエレベータの操作釦の操作に対する応答を報知するもので、図２に示す画像表示装置３ａ、スピーカー３ｂ等からなる。
【００１３】
　図２において、この発明によるエレベータの各階の乗場操作盤またはかご内操作盤からなる操作盤１には複数の表示灯付操作釦２が設けられ、さらに画像表示装置３ａ、スピーカー３ｂ等の報知手段が設けられている。
【００１４】
　図２の各表示灯付操作釦２はそれぞれ例えば図３に示す構成を有する。図３において、エレベータに運転指示を行うために操作される例えば押釦からなる操作釦５、操作釦５の操作に対する応答を表示するランプからなる表示灯６、および表示灯６の近隣に設けられ点灯／不点灯を検出する受光素子からなる光検出手段７は、互いに並列にかつ電源ＶＳとそれぞれ直列に接続され、後述するように制御手段１００は、操作釦５のグランド側の電位から操作の有無を判定し、表示灯６のグランド側の電位をグランドさせて点灯指令を行い、光検出手段７のグランド側の電位から点灯／不点灯を判定する。
【００１５】
　操作釦５が操作されると、制御手段１００へ釦信号が入力され、例えば行先階登録が行われる。行先階登録をすると、制御手段１００から表示灯６を点灯させる点灯指令が出力され表示灯６が点灯する。表示灯６が点灯すると、光検出手段７で光が検知され制御手段１００へ受光信号が入力されて、表示灯６の点灯が検出できるようになっている。
【００１６】
　図４は制御手段１００の動作を示す動作フローチャートであり、該動作フローチャートに従い動作を説明する。制御手段１００は例えば行先階釦である操作釦５が押されて図３の操作釦５のグランド側(電源ＶＳと反対側、以下同様)の電圧が上昇する釦信号が入力されると、操作釦５が押された(操作された)と判定し(ステップＳ１)、行先階登録を行い(ステップＳ２)、さらに表示灯６のグランド側を例えばスイッチＳＷを閉じてグランドに接続させる点灯指令を出力して表示灯６を点灯させる(ステップＳ３)。
【００１７】
　次に行先階釦である操作釦５に対応する表示灯６の点灯を光検出手段７のグランド側の電圧変化である受光信号入力の変化で検出し(ステップＳ４)、点灯していれば動作を終了とする。また点灯していなければ、行先階登録されていることを表示灯６以外の報知手段３００である例えば図２に示す画像表示装置３ａ、スピーカー３ｂに報知指令を出力して映像出力あるいは音声出力させる(ステップＳ５)。」
６．当審の判断
（１）本願発明１について
ア　対比
　本願発明１と引用発明とを対比する。
　引用発明の「昇降路内」、「上下に移動」、「乗りかご２」、「エレベータ制御装置１」、「エレベータの表示灯点検装置」は、本願発明１の「昇降路内」、「上下動」、「かご」、「エレベータ制御装置」、「エレベータ点検システム」に相当する。
　引用発明の「各階に対応した呼び釦（行先階指定釦）」は、本願発明１の「利用者が前記かごを行先階に移動させるための複数の行先階登録ボタン」に相当する。
　引用発明の「乗りかご操作盤２０」は、「呼び釦（行先階指定釦）の応答表示を行う複数の乗りかご表示灯２１Ａ〜２１Ｎ」が設けられているから、本願発明１の「操作盤」に相当するものといえる。
　また、引用発明の「乗りかご操作盤２０に設けられた乗りかご表示灯２１Ａ〜２１Ｎを撮影するカメラ３」は、本願発明１の「操作盤を撮像する撮像装置」に相当する。
　してみると、本願発明１と引用発明とは、以下の一致点で一致し、相違点１〜３で相違する。
（一致点）
昇降路内を上下動するかごを制御するエレベータ制御装置を含むエレベータ点検システムであって、
前記かごは、利用者が前記かごを行先階に移動させるための複数の行先階登録ボタンを有する操作盤と、
前記操作盤を撮像する撮像装置と、を含む、エレベータ用点検システム。
（相違点１）
　本願発明１では、「行先階登録ボタン」自体が点灯するのに対して、引用発明では、「呼び釦（行先階指定釦）の応答表示を行う複数の乗りかご表示灯２１Ａ〜２１Ｎ」が点灯する点。
（相違点２）
　本願発明１では、「前記エレベータ制御装置は、画像を保存する記憶部と、
前記記憶部に保存されている全点灯された状態の前記行先階登録ボタンの画像と、前記撮像装置で撮像した全点灯の指令が出された状態の前記行先階登録ボタンの画像と、を比較して、点灯している前記行先階登録ボタンの位置が一致するか否かを判定する画像判定部と、
を含」むのに対して、引用発明では、「乗りかご表示灯２１Ａ〜２１Ｎから点灯信号６２を受信することで、正常に点灯しているかどうかを判断し、点灯検出信号６３として乗りかご内制御部２２に送信する点灯検出部２３と、を含」む点。
（相違点３）
　本願発明１では、「前記画像判定部が、前記記憶部に保存されている全点灯された状態の前記行先階登録ボタンの位置を認識し、
前記撮像装置で撮像した全点灯の指令が出された状態の点灯している前記行先階登録ボタンの位置を認識し、
前記記憶部に保存されている全点灯された状態の前記行先階登録ボタンの位置と、
前記撮像装置で撮像した全点灯の指令が出された状態の点灯している前記行先階登録ボタンの位置と、が一致するか否かを判定し、
前記画像判定部が一致しないと判定した場合、その一致していない位置を認識し、その位置の前記行先階登録ボタンの光源が球切れであると判定する」のに対して、引用発明では、「主制御部１１は、表示灯点検指令を受信すると、乗りかご制御部２２に対し全ての表示灯を点灯する指令を送信して乗りかご制御部２２を通じて乗りかご表示灯２１Ａ〜２１Ｎが点灯され、
乗りかご表示灯２１Ａ〜２１Ｎについては、乗りかご操作盤２０に設けられた点灯検出部２３がこれらの点灯状態を検出し、異常があれば、その情報を乗りかご内制御部２２に送信し、
乗りかご内制御部２２は、各表示灯の情報を主制御部１１に送信し、
主制御部１１は、乗りかご制御部２２から受信した各表示灯の情報を監視センタ５に送信し、
主制御部１１は、乗りかご制御部２２から受信した乗りかご表示灯２１Ａ〜２１Ｎの情報に点灯異常があった場合、カメラ３を起動することにより、乗りかご表示灯２１Ａ〜２１Ｎを点灯させた状態の撮影画像を取得して、これを監視センタ５へ送信し、
監視センタ５では、撮影画像を受信すると、メモリに記憶された、乗りかご表示灯２１Ａ〜２１Ｎが正常な状態のときにこれらを点灯させてカメラ３で撮影した画像である基準画像と比較し、
基準画像と上記受信した撮影画像とを比較した結果、両者が一致すれば、正常であると判断され、点灯検出部２３から異常の発報があっても点灯検出部２３の故障による誤報と判断され、両者が一致しない場合には点灯検出部２３による異常の発報通りであると判断される」点。
イ　当審の判断
　上記相違点１について検討する。
　引用文献２には、上記５．（２）エに示したとおり、「かご内操作盤からなる操作盤１には複数の表示灯付操作釦２が設けられ」、当該「表示灯付操作釦２」は、「エレベータに運転指示を行うために操作される例えば押釦からなる操作釦５、操作釦５の操作に対する応答を表示するランプからなる表示灯６」で構成される点が記載されており、引用発明の「呼び釦（行先階指定釦）」及び「呼び釦（行先階指定釦）応答表示を行う複数の乗りかご表示灯２１Ａ〜２１Ｎ」を、引用文献２に記載された技術的事項を踏まえて、「エレベータに運転指示を行うために操作される例えば押釦からなる操作釦５、操作釦５の操作に対する応答を表示するランプからなる表示灯６」からなる「表示灯付操作釦２」に置換することは、当業者にとって容易であるといえる。
　しかしながら、相違点２、３について検討すると、引用発明では、まず「乗りかご操作盤２０に設けられた点灯検出部２３」が直接的に「乗りかご表示灯２１Ａ〜２１Ｎ」それぞれの点灯の有無を検知し、点灯が検出されない「乗りかご表示灯」があった場合には、点灯異常を監視センタ５に発報するとともに、乗りかご表示灯２１Ａ〜２１Ｎを点灯させた状態の撮影画像を取得して監視センタ５へ送信するものであるから、当該「点灯検出部２３」が点灯異常を発報した時点で、すでにいずれの呼び釦（行先階指定釦）に対応する「乗りかご表示灯」が点灯異常であるのかが判明しているものといえる。
　そして、引用発明では、監視センタ５において「メモリに記憶された、乗りかご表示灯２１Ａ〜２１Ｎが正常な状態のときにこれらを点灯させてカメラ３で撮影した画像である基準画像」と「受信した撮影画像」とを比較して、「点灯検出部２３」による点灯異常の発報が誤報であるか否かを判断するものであって、上記のとおり「点灯検出部２３」が点灯異常を発報した時点ですでにいずれの呼び釦（行先階指定釦）に対応する「乗りかご表示灯」が点灯異常であるのかが判明しているのであるから、監視センタ５における「基準画像」と「撮影画像」との比較によって、点灯異常が発生した乗りかご表示灯の位置を特定する動機付けはない。
　してみると、本願発明１は、当業者であっても、引用発明及び引用文献２記載の技術的事項に基いて容易に発明をすることができた発明とはいえない。
（２）本願発明２〜４について
　本願発明２〜４も、本願発明１の「前記記憶部に保存されている全点灯された状態の前記行先階登録ボタンの画像と、前記撮像装置で撮像した全点灯の指令が出された状態の前記行先階登録ボタンの画像と、を比較して、点灯している前記行先階登録ボタンの位置が一致するか否かを判定する画像判定部と、
を含み、
前記画像判定部が、前記記憶部に保存されている全点灯された状態の前記行先階登録ボタンの位置を認識し、
前記撮像装置で撮像した全点灯の指令が出された状態の点灯している前記行先階登録ボタンの位置を認識し、
前記記憶部に保存されている全点灯された状態の前記行先階登録ボタンの位置と、
前記撮像装置で撮像した全点灯の指令が出された状態の点灯している前記行先階登録ボタンの位置と、が一致するか否かを判定し、
前記画像判定部が一致しないと判定した場合、その一致していない位置を認識し、その位置の前記行先階登録ボタンの光源が球切れであると判定する」と同一の構成を備えるものであるから、本願発明１と同じ理由により、当業者であっても、引用発明及び引用文献２に記載された技術的事項に基いて容易に発明できた発明とはいえない。
（３）本願発明５について
　本願発明５は、本願発明１に対応する方法の発明であり、本願発明１の「前記記憶部に保存されている全点灯された状態の前記行先階登録ボタンの画像と、前記撮像装置で撮像した全点灯の指令が出された状態の前記行先階登録ボタンの画像と、を比較して、点灯している前記行先階登録ボタンの位置が一致するか否かを判定する画像判定部と、
を含み、
前記画像判定部が、前記記憶部に保存されている全点灯された状態の前記行先階登録ボタンの位置を認識し、
前記撮像装置で撮像した全点灯の指令が出された状態の点灯している前記行先階登録ボタンの位置を認識し、
前記記憶部に保存されている全点灯された状態の前記行先階登録ボタンの位置と、
前記撮像装置で撮像した全点灯の指令が出された状態の点灯している前記行先階登録ボタンの位置と、が一致するか否かを判定し、
前記画像判定部が一致しないと判定した場合、その一致していない位置を認識し、その位置の前記行先階登録ボタンの光源が球切れであると判定する」に対応する構成を備えるものであるから、本願発明１と同様の理由により、当業者であっても、引用発明及び引用文献２に記載された技術的事項に基いて容易に発明できた発明とはいえない。
７．むすび
　以上のとおり、本願発明１〜５は、当業者が引用発明及び引用文献２に記載された技術的事項に基いて容易に発明をすることができた発明ではなく、特許法第２９条第２項の規定により特許を受けることができない発明ではないから、原査定の理由によっては、本願を拒絶することはできない。
　また、他に本願を拒絶すべき理由を発見しない。
　よって、結論のとおり審決する。